(57)【要約】【課題】より正確な位置合わせを達成できるように受け取り手段を改良する。【解決手段】本発明は、装着面（１ｏ）と、前記装着面（１ｏ）上へのウェハの装着のための装着手段と、前記ウェハの局所的及び／全体的なねじれの少なくとも部分的、能動的、かつ、特に局所的に制御可能な補償のための補償手段（３、４、５、６）と、の特徴を有する、前記ウェハの受け取り及び装着のための受け取り手段に関する。さらに、この発明は、上述の受け取り手段を使用する、第１のウェハの第２のウェハとの位置合わせの方法に関する。【選択図】図３ｂ
2020074481.tif 000002
【特許請求の範囲】
【請求項１】
‐装着面（１ｏ）と、
‐前記装着面（１ｏ）上へのウェハの装着のための装着手段と、
‐前記ウェハの局所的及び／全体的なねじれの少なくとも部分的、能動的、かつ、特に局所的に制御可能な補償のための補償手段（３、４、５、６）と、
の特徴を有する、前記ウェハの受け取り及び装着のための受け取り手段。
【請求項２】
前記装着面（１ｏ）の温度に、前記補償手段（３、４、５、６）によって局所的に影響を与えることができることを特徴とする請求項１に記載の受け取り手段。
【請求項３】
前記装着面（１ｏ）の歪に、前記補償手段（３、４、５、６）によって、特にピエゾ要素（４）の配置によって影響を与えることができ、前記ピエゾ要素（４）は、前記装着面（１ｏ）の背面（１ｒ）において、好ましくは個々に作動することができることを特徴とする請求項１又は２に記載の装着手段。
【請求項４】
前記装着面（１ｏ）の形状に、前記補償手段（３、４、５、６）によって、特に、好ましくは機械的作用によって、Ｚ方向において影響を与えることができることを特徴とする請求項１〜３のいずれか一項に記載の受け取り手段。
【請求項５】
前記装着面（１ｏ）を、前記装着面（１ｏ）の背面（１ｒ）から、前記補償手段（３、４、５、６）によって、特に液圧的に及び／又は空気圧的に、圧力に曝すことができることを特徴とする請求項１〜４のいずれか一項に記載の受け取り手段。
【請求項６】
複数の能動的制御要素（３、４、５、６）としての前記補償手段（３、４、５、６）は、前記装着手段（１ｏ）中に、特に一体化されている、好ましくは埋め込まれていることを特徴とする請求項１〜５のいずれか一項に記載の受け取り手段。
【請求項７】
前記制御要素（３、４、５、６）のそれぞれ又は前記制御要素（３、４、５、６）のグループを、別々に作動することができることを特徴とする請求項６に記載の受け取り手段。
【請求項８】
‐第１のウェハが第２のウェハに接合されるときに、前記第１のウェハの前記第２のウェハに対する歪及び／又はねじれによって生じた局所的な位置合わせエラーを、前記第１のウェハの第１の歪マップ及び又は前記第２のウェハの第２の歪マップと、前記第１及び／又は第２の歪マップの評価のための評価手段とによって決定する手段と、
‐前記ウェハの少なくとも１つを受け取るための、請求項１〜７のいずれか一項に記載の受け取り手段のうちの少なくとも１つと、
‐ポジションマップ及び／又は前記歪マップと、前記補償手段による同時の保障を考慮したウェハの位置合わせのための位置合わせ手段と、
を特徴とする、第１のウェハの第２のウェハとの位置合わせのための装置。
【請求項９】
‐第１のウェハの第１の歪マップ及び／又は第２のウェハの第２の歪マップを検出し、評価手段によって前記第１及び／又は第２の歪マップの評価を行い、局所的な位置合わせエラーを決定するステップと、
‐請求項１〜７のいずれか一項に記載の受け取り手段上に前記ウェハのうちの少なくとも１つを受け取るステップと、
‐ポジションマップ及び／又は前記歪マップと、補償手段による同時の補償とを考慮しながら前記ウェハを位置合わせするステップと、
をこの順に有する、前記第１のウェハの前記第２のウェハとの位置合わせのための方法。
【請求項１０】
位置合わせの後に、前記第１及び第２のウェハのポジションマップ及び／又は歪マップの１回の、特に繰り返される検出が行われることを特徴とする請求項９に記載の方法。
【発明の詳細な説明】
【技術分野】
【０００１】
本発明は、特許請求の範囲に記載されているような、ウェハを受け取って装着するための受け取り手段、並びに、第１のウェハの第２のウェハとの位置合わせのための装置及び方法に関する。
【背景技術】
【０００２】
これら受け取り手段、サンプルホルダー、又はチャックは、多様な形式で入手可能であり、平坦な受け取り面又は装着面が受け取り手段に対して非常に重要であり、ますます小さくなる構造をますます大きくなるウェハ表面上に、ウェハの全表面に亘って正確に位置合わせし、接続することを可能とする。これは、ウェハを別のウェハに、分離可能な相互接続の手段によって接合する、いわゆる予備接続が実際の接続プロセスの前に行われる場合に特に重要である。ウェハ同士の高い位置合わせ精度は、一方の、又は両方のウェハ上に配置された全ての構造に対して、特に２μｍ未満の位置合わせ精度又は位置ずれが達成されなければならない場合に特に必要となる。位置合わせマークの近傍においては、これは望ましい受け取り手段と、位置合わせ用の装置、いわゆるアライナー、特にボンドアライナーにおいて特に十分に成功する。位置合わせマークからの距離を増加させることによっては、２μｍより小さい、特に１μｍより小さい、さらに好ましくは０．２５マイクロｍより小さい位置合わせ精度又は特にねじれの値を有する、制御された、完全な位置合わせは達成することはできない。
【先行技術文献】
【特許文献】
【０００３】
【特許文献１】欧州特許出願第０９０１２０２３号明細書
【特許文献２】欧州特許出願第１００１５５６９号明細書
【発明の概要】
【発明が解決しようとする課題】
【０００４】
この発明の目的は、より正確な位置合わせを達成することができるように、一般的な受け取り手段を改良することである。
【課題を解決するための手段】
【０００５】
この目的は、特許請求の範囲の各請求項の特徴によって達成される。
【０００６】
本発明の有利な発展形は、従属請求項に与えられている。また、明細書、特許請求の範囲、及び／又は図面に与えられた特徴のうちの少なくとも２つの全ての組み合わせは本発明の構成の範囲に含まれる。また、所与の数値範囲において、表示されている限界値は境界値として開示されるとともに、全ての組み合わせにおいて権利を主張される。
【０００７】
本発明は、特許文献１及び特許文献２による出願人の研究結果に基づいており、特許文献１では、表面全体、特にウェハそれぞれの表面におけるウェハのポジションマップとしての構造体の位置の検知が可能とされている。特許文献２は、第１のウェハが第２のウェハに接合される際の、第１のウェハの第２のウェハに対する歪及び／又はねじれによって生じた局所的な位置合わせ誤差を決定するための、
‐  第１のウェハの第１接触面に沿った歪値の第１の歪マップ、及び／又は
‐  第２のウェハの第２接触面に沿った歪値の第２の歪マップ、並びに
‐  局所的な位置合わせ誤差を決定することが出来る、第１及び／又は第２の歪マップを評価するための評価手段
を有する装置に関する。
【０００８】
本発明の基本的な思想は、いくつかの互いに独立した能動的制御要素から成る受け取り手段を提供することであり、これら能動的制御要素によって受け取り手段の装着面は、特に形状及び／又は温度において影響を受けることができる。ここで、能動的制御要素は対応する駆動によって、ポジションマップ及び／又は歪マップによって既知である局所的な位置合わせ誤差又は局所的なねじれが補償されるように、又は大部分が最小化されるか減少するように使用される。ここで、局所的なずれが解消するだけでなく、局所的なずれから生じる外形寸法におけるウェハの巨視的なずれ又は伸びが同時に最小化されるか是正される。
【０００９】
したがって、本発明に記載されているように、特に、ポジションマップ、歪マップ、及び／又は応力マップに関連する上述の発明と、ウェハの接触及び接合中の上述の発明に開示されている位置合わせの欠点のその場での是正の組み合わせにおいて、能動的な、特にウェハのねじれに対する局所的な作用によって、さらに良好な位置合わせを達成することが可能である。
【００１０】
本発明の１つの有利な実施形態によれば、補償手段によって装着面の温度に局所的に影響を与えることができる。装着面の局所的な温度上昇は、この位置で装着面に保持されているウェハの局所的な膨張をもたらす。温度勾配が大きければ大きいほど、この位置におけるウェハの膨張は大きくなる。ポジションマップ及び／又は歪マップのデータ、特にポジションマップ及び／又は歪マップの位置それぞれに対する、特に位置合わせエラーのベクトル評価（Ｖｅｋｔｏｒａｕｓｗｅｒｔｕｎｇ）に基づき、局所的なウェハのねじれに作用すること、又は局所的なウェハのねじれを制御された方法で是正することが可能である。
【００１１】
これに関して、ベクトル評価はねじれベクトルを有するベクトル場として定義され、この場は、特に後述される本発明の２つの変形態様のうちの１つの手段によって決定されてきた。
【００１２】
第１のバージョンは、２枚のウェハのうちの一つのみが構造化される用途に関連する。この場合には、本発明において権利が要求されているように、構造のずれ、特に、望ましい形状からの幾何学的な形状のずれが検知される。この場合には、特にステップアンドリピート式露光装置の露光場の形状の、通常は長方形である名目上期待される形状からのずれが特に対象となる。これらずれ、特にこれらずれを既述するベクトル場は、個々の位置合わせマークのポジションマップの検知に基づいて行うことができ、個々の位置合わせマークは特許文献１による露光場に対応する。また、代替的にこのベクトル場は、応力マップ及び／又は歪マップに基づいて決定することもでき、応力マップ及び／又は歪マップは特許文献２の手段によって得られる。しかしながら、好都合なことにこのベクトル場もまた、本願において権利が要求されているように、いずれかの他の好適な測定手段によって決定することができ、読み取ることができる。特に、特殊なテストマスク及び／又はテスト方法によるこれらデータの獲得のために作動される、ステップアンドリピート式リソグラフィーシステムがこの測定に好適である。
【００１３】
第２のバージョンは、２つのウェハが構造化される用途に関する。この場合には、本発明において権利を要求されるように、位置合わせのずれのベクトル場は、ポジションマップ、特に引用文献１による第１及び第２のポジションマップの全ての位置に対して計算される。このベクトル場は特に、引用文献２における材料による技術的及び／又は経済的な基準に従って理想的と考えられる位置合わせの位置に対して決定される。
【００１４】
本発明の別の有利な実施形態においては、装着面の歪に補償手段によって、特に装着面の背面において好ましくは個々に作動することができるピエゾ要素の配置によって、局所的に影響を与えることができる。引き伸ばすか又は収縮させる、すなわち圧縮することによって、装着面、ウェハもまた、対応して変形し、特にウェハの装着面から作用する装着力によって、特に引き伸ばされるか又は収縮し、それによって、このような方法でウェハに、このウェハに対して決定された歪マップの値に基づいた対応する制御手段によって、制御された方法で影響を与えることができる。補償手段によって、特に好ましくはＺ方向への機械的な作用によって、装着面の形状に局所的に影響を与えることができる範囲で、ウェハの装着面に反対方向のねじれを与える１つの別の可能性が生じる。ここで、補償手段の制御を、ポジションマップ及び／又は歪マップの値に基づく補償手段の、対応して専用とされた局所的な制御を行う制御手段によって行うことも行われる。
【００１５】
制御手段は、対応するルーティンを行う／計算するための特にソフトウェアを包含している。
【００１６】
本発明の別の有利な実施形態によれば、装着面を、補償手段によって、特に液圧式及び／又は空圧式に、装着面の背面からの圧力に局所的にさらすことができる。この方法で、装着面の形状に同様に影響を与えることができ、よって前述の効果を生じさせることができる。制御は同様に、前述の制御手段によって行われる。
【００１７】
有利には、補償手段は、受け取り手段中の、特に一体化されるか、好ましくは装着面中に埋め込まれた、複数の能動的制御要素として設けられる。したがって、受け取り手段の受け取り部は、既知の受け取り手段におけるのと同様に、モノリシック構造とすることができる。
【００１８】
ここで、複数の制御要素の制御要素それぞれ又は制御要素のグループを別々に作動することができると特に有利である。したがって、局所的な駆動は、小さな区画（ｅｘｔｒａｃｔ）、特にウェハの半分より小さい、好ましくはウェハの１／４より小さい、好ましくはウェハの１／８より小さい、さらに好ましくはウェハの１／１６より小さい区画を、補償手段によって局所的に駆動することができるということを意味する。補償手段が、それ自体の構造によって占められているウェハの領域それぞれにおいて少なくとも１つの制御要素によって作用することができると特に有利である。
【００１９】
本願において権利を要求されている装置は、有利には全ての制御プロセスに関与する中央制御装置中に上述の制御手段を備える。しかし、本願において権利を要求しているように、制御手段を、受け取り手段中に、特に装置全体からなるモジュールとして設けることが考えられる。
【００２０】
本願において権利を要求されている方法は、特に、繰り返される、位置合わせ後の第１及び／第２のウェハのポジションマップ及び／又は歪マップの取得があることによってさらに改良することができる。このようにして、本願において権利を要求されているように、位置合わせが終了した後に、位置合わせが成功したかどうかをチェックすることができる。したがって、非常に大きな位置合わせエラーを有するウェハの対を除去し、例えば本願において権利を要求しているようにそれらウェハの対を再度位置合わせすること、又はそれらウェハの対を処分することが考えられる。
【００２１】
引用文献１及び／又は引用文献２に開示されている発明は、この発明のための実施形態として同時に付随して開示されていると考えられるだろう。
【００２２】
他の利点、特徴、及び本発明の詳細は、好ましい最良の実施形態の以下の記載及び図面の使用から明らかとなるだろう。
【図面の簡単な説明】
【００２３】
【図１ａ】第１の実施形態の発明において権利が要求されている受け取り手段の平面図である。
【図１ｂ】図１ａの切断線Ａ−Ａによる、受け取り手段の断面図である。
【図２ａ】第２の実施形態の発明において権利が要求されている受け取り手段の平面図である。
【図２ｂ】図２ａの切断線Ｂ−Ｂによる、受け取り手段の断面図である。
【図３ａ】第３の実施形態の発明において権利が要求されている受け取り手段の平面図である。
【図３ｂ】図３ａの切断線Ｃ−Ｃによる、受け取り手段の断面図である。
【図４ａ】第４の実施形態の発明において権利が要求されている受け取り手段の平面図である。
【図４ｂ】図４ａの切断線Ｄ−Ｄによる、受け取り手段の断面図である。
【発明を実施するための形態】
【００２４】
同一の部品／特徴、及び同一の作用を有する部品／特徴は、図において同一の参照符号によって特定される。
【００２５】
４つの実施形態全てはモノリシックレシーバ１を示しており、このモノリシックレシーバ１は平坦な、好ましくは円形状のリング状形状の板として示されており、ウェハの受け取り及び装着のための平坦な装着面１ｏを備えている。このレシーバは、外周縁部にリング形状の肩部１ａを有している。
【００２６】
装着面１ｏは、ウェハを受け取るための受け取り平面を形成し、この平面はＸ及びＹ方向に延在している。Ｚ方向はＸ及びＹ方向に対して垂直に延びており、ウェハに作用する装着力がこの方向に向いている。ウェハの装着は開口部２を通じて行われ、これら開口部２は複数が装着面１ｏに亘って均一に分散されており、開口部２に負圧をかけることによってウェハを装着面１ｏ上に保持することができる。開口部２の数を多くするほど、又開口部２の直径を小さくするほど、ウェハの装着に対して開口部２に使用される負圧は、開口部２の上のウェハのねじれを起こしにくくなる。
【００２７】
開口部２における負圧は、図示されていない真空手段を介してかけられ、この真空手段は、装着面１ｏの背面側に配置された内部空間１ｉに負圧をかける。内部空間１ｉはさらにレシーバ１の外周壁１ｗによって境界を仕切られているとともに周辺に対してシールされている。開口部２は装着面１ｏから内部空間１ｉまで延在しており、よって内部空間１ｉに広がっている負圧に対して均一に曝される。
【００２８】
内部空間１ｉは、装着面１ｏに対向して配置された背面１ｒと、内部空間１ｉの図示されていない底面とによってさらに境界を仕切られ、背面１ｒは開口部２によって貫通されている。
【００２９】
背面１ｒにおいて、能動的制御要素は複数の加熱／冷却要素、特に主に加熱要素３である。加熱要素３はそれぞれ個別に作動されるか、又はグループで作動され、制御は図示されていない制御手段によって行われる。加熱要素３の１つが加熱されると、装着面１ｏの局所的区画が、レシーバの非常に良好な熱伝導を有する材料、特に金属によって加熱される。これは、この領域において装着面１ｏ上に載置されているウェハの局所的な膨張をもたらす。したがって、受け取り手段上に位置合わせされた状態で相応に保持され、生じ得る既知の位置のねじれ／歪を有するウェハに対して、ウェハの変形を、個々の又はいくつかの加熱要素３を切り替えることによって制御された方法で引き起こし、よって局所的なねじれを補償することができる。特に複数の局所的な補償のために、これはまた、全体的なねじれの全体的な補償、特にウェハのＸ及び／又はＹ方向における直径の変化をもたらす。
【００３０】
この加熱要素及び／又は冷却要素を用いたウェハ上のねじれへの介入作用のもたらす特別な利点は、この介入作用が最小の変形しか伴わずに達成できることにあり、特に取付け面の変形及び／又はウェハの垂直ないしＺ方向の変形無しに達成することができることにある。これに関する最小の変形として、支持面の変形、特にウェハの垂直方向、すなわち、直角ないしＺ方向における変形は、載置面に対して５μｍ未満、好ましくは２μｍ未満、有利には１μｍ未満、特に有利には０.５μｍ未満と考えられる。
【００３１】
これは特に相互接続の前接合の製造、例えば予備接合に対して有利であり、予備接合はヴァンデルワールス結合に基づいている。ここで装着面及び特にウェハが平坦に保持され得るという事実に基づいて、これら予備接合のステップにおいて従来行われているボンドウェイブ（ｂｏｎｄ  ｗａｖｅ）は、不均一性によるその伝播において影響されることがない。したがって、結合されていない箇所（いわゆるボイド）が残るという危険が大幅に削減される。これら相互接続の前接合の製造に対しては、本発明において権利が要求されているように、ウェハ表面全体に亘る＜５μｍの、有利には＜２μｍの、好ましくは＜１μｍの、そしてより好ましくは＜０．５μｍの装着面の均一性が望ましい。これら均一性の値は、ウェハとの接触における装着面の部分内の最も高い点と最も低い点との間の距離として規定される。
【００３２】
加熱要素３は有利には、装着面１ｏの下に均一に分散される。有利には、１０以上の加熱要素３が、特に５０以上の加熱要素３が、好ましくは１００以上の加熱要素３が、さらに好ましくは５００以上の加熱要素が受け取り手段に存在する。これら加熱要素は、装着面中で別々に作動することができるとともに、ウェハ上の局所的な作用を可能にする領域を形成する。有利には、装着面の個々の領域は、好適な手段によって互いから熱的に絶縁されている。特に、これら領域は、個々のセグメントの均一かつ密接した配置を可能にする形状とされる。有利には、セグメントの三角形、四角形、又は六角形としての実行はこの目的のために好適である。
【００３３】
特に、ペルチェ要素は加熱要素３として好適である。
【００３４】
図２ａ及び２ｂに示されている第２の実施形態には、加熱要素３は示されておらず、加熱要素３の代わりに、又は加熱要素３との組み合わせで、装着面１ｏ上にはピエゾ要素４が、好ましくは装着面１ｏまでより背面１ｒまでへの大きな距離を有して存在している。
【００３５】
この方法で、装着面１ｏ上における制御された作用が可能である。ピエゾ要素４は、作動に際してナノメータからミクロンまでの範囲において歪を生じさせることができる。
【００３６】
ピエゾ要素４は、前述の数の加熱要素３に対応することができ、本発明において権利が要求されているように、２つの実施形態の組み合わせを考えることができる。
【００３７】
図３ａ及び３ｂに示される発明の第３の実施形態においては、加熱要素３及び／又はピエゾ要素４の代わりに、及び／又は加熱要素３及び／又はピエゾ要素４との組み合わせの形で、装着面１ｏ上に終端する、特に鋭いピン端部５ｅを有するピン５がある。ピン５の最初の位置においては、ピン端部５ｅは装着面１ｏと同一平面にある。ねじれマップ又は歪マップの情報の通りに所定のピン５の領域にウェハの局所的なねじれがある限り、制御手段は、ピン５又はピン端部５ｅをＺ方向に動かすことにより個々の又はいくつかのピン５をウェハの方向に作動させることによって、ウェハ上に局所的に作用することができる。ピン端部５ｅはこのように、ウェハを局所的に圧縮力に曝し、この圧縮力が、この点にウェハの局所的な膨出又はたわみをもたらす。ピン５を、装着面１ｏから背面１ｒまで延在しているガイド開口部７を全体として滑動するように導くことができる。代替的に、ピン端部５ｅのみをピン５中において動かすことができ、ピン５又はピンの下部をガイド開口部７に対して固定することができる。このように、ピン５の特殊なシーリングを内部空間１ｒに対して確実とすることができる。
【００３８】
ピン５の数はピエゾ要素４又は加熱要素３の数に対応しており、ここでは前述の実施形態の１つ以上との組み合わせが可能である。
【００３９】
図４に示されている実施形態においては、レシーバ１は複数の圧力室６を有し、この圧力室６は、図４ｂに示す頂壁６ｏによって装着面１ｏを形成している。圧力室６は内部空間１ｉを貫通して延在しているとともに、この内部空間１ｉに対してシールされている。圧力室６のそれぞれ、又は圧力室６のグループには、別々に圧力をかけることができ、前述の制御手段による制御を行うことができる。圧力室６は、少なくともその頂壁６ｏが、圧力がかけられると降伏するように設けられており、したがって頂壁６ｏは圧力室６の他の仕切り壁より薄く及び／又は柔軟に作られている。開口部２は内部空間１ｉに接続されている。
【００４０】
本発明において権利が要求されているように、装着面１ｏの単に最小のたわみだけが前述の圧縮手段３、４、５、６によって、最大３μｍ、特に最大１μｍ、好ましくは最大１００ｎｍだけ生じる。
【００４１】
前述の実施形態の１つ以上によって、局所的なねじれに対抗することを可能にするために、上述のように、制御手段がウェハのねじれがどこに、どの程度、又はどの方向に生じているかを知る必要がある。この場合にのみ、ねじれの制御された作用若しくは対抗作用及び補償が可能である。ウェハそれぞれの歪マップは歪ベクトルの形の情報を生成し、この歪ベクトルはウェハに亘って分散されているとともに引用文献２による対応する測定手段によって決定されている。対応する制御データは、制御ユニットにファイルすることができ、経験的に決定され、よってウェハのポジションマップによって指示された位置において、ウェハの歪マップに従った個々の制御をウェハそれぞれに対して保証することができる。補償は、ウェハの位置合わせの間にこのように自動的に行うことができる。
【００４２】
能動的制御要素３、４、５、６は、図面において縮尺どおりには示されておらず、異なるサイズおよび形状をとっている場合がある。
【００４３】
本発明の実施の態様は、以下の態様を含む。
１．  ‐装着面（１ｏ）と、
‐前記装着面（１ｏ）上へのウェハの装着のための装着手段と、
‐前記ウェハの全体的なねじれの少なくとも部分的な補償のために、能動的にかつ局所的に制御可能な補償手段（３、４、５、６）と、
を備えることを特徴とする、前記ウェハの受け取り及び装着のための受け取り手段。
２．  前記装着面（１ｏ）の温度に、前記補償手段（３、４、５、６）によって局所的に影響を与えることができることを特徴とする項目１に記載の受け取り手段。
３．  前記装着面（１ｏ）の歪に、前記補償手段（３、４、５、６）によって影響を与えることができることを特徴とする項目１又は２に記載の受け取り手段。
４．  前記補償手段（３、４、５、６）は、マトリクス状に配置されたピエゾ要素（４）であり、前記ピエゾ要素（４）は、前記装着面（１ｏ）の背面（１ｒ）において作動することができることを特徴とする項目３に記載の受け取り手段。
５．  前記ピエゾ要素（４）は、個々に作動することができることを特徴とする項目４に記載の受け取り手段。
６．  前記装着面（１ｏ）の形状に、前記補償手段（３、４、５、６）によって、前記ウェハに垂直な方向において影響を与えることができることを特徴とする項目１乃至５のいずれか一項に記載の受け取り手段。
７．  前記装着面（１ｏ）の形状に、前記補償手段（３、４、５、６）による機械的作用によって、前記ウェハに垂直な方向において影響を与えることができることを特徴とする項目６に記載の受け取り手段。
８．  前記装着面（１ｏ）を、前記装着面（１ｏ）の背面（１ｒ）から、前記補償手段（３、４、５、６）によって圧力に曝すことができることを特徴とする項目１乃至７のいずれか一項に記載の受け取り手段。
９．  複数の能動的制御要素（３、４、５、６）としての前記補償手段（３、４、５、６）は、前記装着面（１ｏ）に一体化されていることを特徴とする項目１乃至８のいずれか一項に記載の受け取り手段。
１０．  複数の能動的制御要素（３、４、５、６）としての前記補償手段（３、４、５、６）は、前記装着面（１ｏ）に埋め込まれていることを特徴とする項目９に記載の受け取り手段。
１１．  前記能動的制御要素（３、４、５、６）のそれぞれ又は前記能動的制御要素（３、４、５、６）のグループを、別々に作動することができることを特徴とする項目９又は１０に記載の受け取り手段。
１２．  −装着面（１ｏ）と、
−前記装着面（１ｏ）上へのウェハの装着のための装着手段と、
−前記ウェハの局所的なねじれ及び全体的なねじれの一方又は両方の少なくとも部分的な能動的な補償のために、温度によって制御可能な補償手段（３，４，５，６）と、
を備えることを特徴とする、前記ウェハの受け取り及び装着のための受け取り手段。
１３．  前記装着面（１ｏ）の温度に、前記補償手段（３、４、５、６）によって局所的に影響を与えることができることを特徴とする項目１２に記載の受け取り手段。
１４．  能動的制御要素として、前記装着面（１ｏ）の背面（１ｒ）に、複数の加熱要素及び複数の冷却要素の一方又は両方が設けられていることを特徴とする項目１２又は１３に記載の受け取り手段。
１５．  前記加熱要素は、ペルチェ要素であることを特徴とする項目１４に記載の受け取り手段。
１６．  ‐第１のウェハが第２のウェハに接合されるときに、前記第１のウェハの前記第２のウェハに対する歪及びねじれの一方又は両方によって生じた局所的な位置合わせエラーを、前記第１のウェハの第１の歪マップ及び前記第２のウェハの第２の歪マップの一方又は両方と、前記第１及び第２の歪マップの一方又は両方の評価のための評価手段による評価とによって決定する手段と、
‐前記ウェハの少なくとも１つを受け取るための、項目１乃至１５のいずれか一項に記載の、少なくとも１つの受け取り手段と、
‐ポジションマップ及び前記歪マップの一方又は両方と、前記補償手段による同時の補償とを考慮しながら、前記第１のウェハの前記第２のウェハに対する歪及びねじれの一方又は両方を前記位置合わせエラーの評価に基づいて補償して前記ウェハの位置合わせをするための位置合わせ手段と、
を特徴とする、第１のウェハの第２のウェハとの位置合わせのための装置。
１７．  ‐第１のウェハの第１の歪マップ及び第２のウェハの第２の歪マップの一方又は両方を検出し、評価手段によって前記第１及び第２の歪マップの一方又は両方の評価を行い、局所的な位置合わせエラーを決定するステップと、
‐項目１乃至１５のいずれか一項に記載の受け取り手段上に前記ウェハのうちの少なくとも１つを受け取るステップと、
‐ポジションマップ及び前記歪マップの一方又は両方と、前記補償手段による同時の補償とを考慮しながら、前記第１のウェハの前記第２のウェハに対する歪及びねじれの一方又は両方を前記位置合わせエラーの評価に基づいて補償して前記ウェハの位置合わせをするステップと、
をこの順に有する、前記第１のウェハの前記第２のウェハとの位置合わせのための方法。
１８．  前記位置合わせの後に、前記第１及び第２のウェハの一方又は両方のポジションマップ及び歪マップの一方又は両方の検出が行われることを特徴とする項目１７に記載の方法。
１９．  前記検出は、前記位置合わせの後に、繰り返されることを特徴とする項目１８に記載の方法。
【符号の説明】
【００４４】
１・・・レシーバ
１ａ・・・リング形状肩部
１ｉ・・・内部空間
１ｏ・・・装着面
１ｗ・・・周壁
２・・・開口部
３・・・加熱／冷却要素
４・・・ピエゾ要素
５・・・ピン
５ｅ・・・ピン端部
６・・・圧力室
６ａ・・・頂壁
７・・・ガイド開口部
【図１ａ】
2020074481.tif 000003
【図１ｂ】
2020074481.tif 000004
【図２ａ】
2020074481.tif 000005
【図２ｂ】
2020074481.tif 000006
【図３ａ】
2020074481.tif 000007
【図３ｂ】
2020074481.tif 000008
【図４ａ】
2020074481.tif 000009
【図４ｂ】
2020074481.tif 000010
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
ウェハを受け取って装着するための受け取り手段であって、
装着面（１ｏ）と、
前記装着面（１ｏ）上への前記ウェハの装着のための装着手段と、
前記ウェハの局所的なねじれ及び全体的なねじれの一方又は両方の少なくとも部分的な補償のために、能動的かつ局所的に制御可能な補償手段（３，４，５，６）と、
を備え、
前記装着面（１ｏ）の歪は、前記装着面（１ｏ）の背面において個々に作動し得るピエゾ要素の配置による前記補償手段（３，４，５，６）によって局所的に影響を与え得る、
ことを特徴とする受け取り手段。
【請求項２】
前記装着面（１ｏ）の温度は、前記補償手段（３，４，５，６）によって局所的に影響を与え得る、請求項１に記載の受け取り手段。
【請求項３】
前記装着面（１ｏ）の形状は、前記補償手段（３，４，５，６）による、前記ウェハの垂直方向への機械的な作用によって局所的に影響を与え得る、請求項１又は２に記載の受け取り手段。
【請求項４】
前記装着面（１ｏ）は、前記補償手段（３，４，５，６）によって液圧式及び／又は空圧式に前記装着面（１ｏ）の背面からの圧力に局所的にさらし得る、請求項１又は２に記載の受け取り手段。
【請求項５】
複数の能動的制御要素（３，４，５，６）としての前記補償手段（３，４，５，６）は、前記装着面（１ｏ）に一体化されており又は埋め込まれている、請求項１又は２に記載の受け取り手段。
【請求項６】
前記複数の能動的制御要素（３，４，５，６）の制御要素それぞれ又は制御要素のグループを別々に作動し得る、請求項５に記載の受け取り手段。
【請求項７】
第１のウェハの第２のウェハとの位置合わせのための装置であって、
第１のウェハの第２のウェハに対する歪及びねじれの一方又は両方によって生じた局所的な位置合わせエラーを、前記第１のウェハの第１の歪マップ及び前記第２のウェハの第２の歪マップの一方又は両方と、前記第１及び第２の歪マップの一方又は両方の評価のための評価手段とによって、決定する手段と、
少なくとも１つの前記ウェハを受け取るための、請求項１乃至６のいずれか一項に記載の受け取り手段と、
前記第１及び第２のウェハのポジションマップの一方又は両方及び前記歪マップの一方又は両方に基づいて前記補償手段による補償を補うように、前記第１のウェハの前記第２のウェハに対する歪及びねじれの一方又は両方を、決定された前記局所的な位置合わせエラーに基づいて補償して、前記ウェハの位置合わせをするための位置合わせ手段と、
を備えることを特徴とする、第１のウェハの第２のウェハとの位置合わせのための装置。
【請求項８】
第１のウェハの第２のウェハとの位置合わせのための方法であって、
第１のウェハの第２のウェハに対する歪及びねじれの一方又は両方によって生じた局所的な位置合わせエラーを、前記第１のウェハの第１の歪マップ及び前記第２のウェハの第２の歪マップの一方又は両方の検出と、評価手段による前記第１及び第２の歪マップの一方又は両方の評価とに基づいて、決定するステップと、
請求項１乃至６のいずれか一項に記載の受け取り手段上に前記ウェハのうちの少なくとも１つを受け取るステップと、
前記第１及び第２のウェハのポジションマップの一方又は両方及び前記歪マップの一方又は両方に基づいて前記補償手段による補償を補うように、前記第１のウェハの前記第２のウェハに対する歪及びねじれの一方又は両方を、決定された前記局所的な位置合わせエラーに基づいて補償して、前記ウェハの位置合わせをするステップと、
をこの順に有する、前記第１のウェハの前記第２のウェハとの位置合わせのための方法。
【請求項９】
前記位置合わせの後に、前記第１及び第２のウェハの前記ポジションマップの一方又は両方及び前記歪マップの一方又は両方の取得が行われる、請求項８に記載の方法。
【請求項１０】
前記取得は、前記位置合わせの後に、繰り返される、請求項９に記載の方法。